(57)【要約】  【課題】液晶パネルに表示された文字情報や画像情報を、観察者が十分に判読できる程度に、良好に拡大観察することが可能な携帯情報端末装置を提供する。  【解決手段】情報入力部４を有する把持部３と、情報を表示する表示面１ａを有する表示部１と、ビームコンバイナ２を有する携帯情報端末装置である。表示部１を把持部３に対して開閉可能に支持し、且つ、１８０°＜β＜２７０°の範囲のうちの第１の所定角度で表示部１、または表示面１ａ固定する表示部開閉支持手段を有し、ビームコンバイナ２が、表示面１ａに表示された情報を拡大して、把持部３の側方に位置する観察者の瞳Ｅ方向に反射する光学的パワーを有する。  但し、βは仮想面内において、仮想線Ｌ１と仮想線Ｌ２とがなす角度、仮想線Ｌ１は表示部１の一端と他端とを結ぶ直線、仮想線Ｌ２は把持部３における観察者の瞳側の面の一端と他端とを結ぶ直線である。【選択図】  図１
2006119503.tif 000002
【特許請求の範囲】
【請求項１】
情報入力部を有する把持部と、
前記情報入力部で入力した情報又は外部から得た情報を表示する表示面を有する表示部と、
ビームコンバイナを少なくとも有する携帯情報端末装置であって、
前記表示部を前記把持部に対して開閉可能に支持し、且つ、下記に示す範囲(1)のうち、第１の所定角度で前記表示部、または前記表示面を固定する表示部開閉支持手段を有し、
前記ビームコンバイナが、前記表示面に表示された情報を拡大して、前記把持部の側方に位置する観察者の瞳方向に反射する光学的パワーを有することを特徴とする携帯情報端末装置。
１８０°＜β＜２７０°                                …(1)
但し、
βは、仮想面内において、第１の仮想線と第２の仮想線とがなす角度であり、
前記仮想面は、前記表示部の前記ビームコンバイナ側の面に直交し、前記第１の仮想線を含む面であり、
前記第１の仮想線は、仮想面内にあり、前記表示部の一端と該表示部の一端と対向する他端とを結ぶ直線であり、
前記第２の仮想線は、仮想面内にあり、前記把持部における観察者の瞳側の面の一端と該観察者の瞳側の面の一端と対向する他端とを結ぶ直線である。
【請求項２】
前記ビームコンバイナを開閉可能に支持し、且つ、第２の所定角度で前記ビームコンバイナを固定するビームコンバイナ開閉支持手段と、
前記ビームコンバイナと前記表示部とを連結するビームコンバイナ連結手段と、
前記ビームコンバイナ連結手段を前記表示部に対して、前記ビームコンバイナが前記表示面から離れる方向に移動可能に支持し、且つ、前記ビームコンバイナ連結手段を所定量移動させたときの状態を保持するビームコンバイナ連結手段移動手段を有し、
前記ビームコンバイナ開閉支持手段が、前記ビームコンバイナ連結手段の一端と前記ビームコンバイナの一端が交わる位置の近傍に設けられ、
前記第２の所定角度が下記に示す範囲(2)における角度であり、
下記に示す範囲(3)のうち、第３の所定角度で前記ビームコンバイナと前記表示部を保持可能にすることを特徴とする請求項１に記載の携帯情報端末装置。
４５°＜α’＜９０°                                    …(2)
０°＜α＜４５°                                        …(3)
但し、
α’は仮想面内において、第３の仮想線と第４の仮想線とがなす角度であり、
前記第３の仮想線は、仮想面内にあり、前記ビームコンバイナの一端と該ビームコンバイナの一端と対向する他端とを結ぶ直線であり、
前記第４の仮想線は、仮想面内にあり、前記ビームコンバイナ連結手段の一端と該ビームコンバイナ連結手段の一端と対向する他端とを結ぶ直線であり、
αは仮想面内において、前記第３の仮想線と前記第１の仮想線とがなす角度である。
【請求項３】
前記ビームコンバイナと前記表示部とを連結するビームコンバイナ連結手段と、
前記ビームコンバイナ連結手段を前記表示部に対して、前記ビームコンバイナが前記表示面から離れる方向に移動可能に支持し、且つ、前記ビームコンバイナ連結手段を所定量移動させたときの状態を保持するビームコンバイナ連結手段移動手段を有し、
前記ビームコンバイナ開閉支持手段が、前記ビームコンバイナ連結手段の一端と前記ビームコンバイナの一端が交わる位置の近傍に設け、
下記に示す範囲(4)のうち、第３の所定角度で前記ビームコンバイナと前記表示部を保持可能であり、
次の条件式(5)を満足するように、前記ビームコンバイナを前記表示部に対して位置させることを特徴とする請求項１に記載の携帯情報端末装置。
４５°＜α＜９０°                                      …(4)
１．５＜ｚ／ｐ＜５．０                                  …(5)
但し、
αは仮想面内において、前記第３の仮想線と前記第１の仮想線とがなす角度であり、
ｐは前記表示面における前記第１の仮想線方向の辺の長さであり、
ｚは前記表示面の中心と前記ビームコンバイナの中心との近軸距離である。
【請求項４】
前記ビームコンバイナ連結手段移動手段が、前記ビームコンバイナ連結手段を前記表示部に対し回動可能に支持する支持具からなることを特徴とする請求項２又は３に記載の携帯情報端末装置。
【請求項５】
前記ビームコンバイナ連結手段が、折り畳み可能に構成されていることをする請求項２〜４のいずれかに記載の携帯情報端末装置。
【請求項６】
前記表示部が、前記表示面の周りを囲む外枠部を有し、更に、
前記ビームコンバイナを開閉可能に支持し、且つ、第４の所定角度で前記ビームコンバイナを固定するビームコンバイナ開閉支持手段と、
前記表示面を前記外枠部に対して回動可能に支持し、且つ、前記表示面を所定量回動させたときの状態を保持する表示面回動支持手段を有し、
前記表示部開閉支持手段が、前記外枠部を把持部に対して開閉可能に支持するように構成され、
前記ビームコンバイナ開閉支持手段が、前記外枠部の一端と前記ビームコンバイナの一端が交わる位置の近傍に設けられ、前記第４の所定角度が下記に示す範囲(6)における角度であり、
下記に示す範囲(7)のうち、第５の所定角度で前記ビームコンバイナと前記表示面を保持可能にすることを特徴とする請求項１に記載の携帯情報端末装置。
４５°＜α”＜９０°                                    …(6)
０°＜α”’＜４５°                                    …(7)
但し、α”は、仮想面内において、前記第３の仮想線と第５の仮想線とがなす角度であり、
前記第５の仮想線は、仮想面内にあり、前記表示部の外枠部の一端と該表示部の外枠部の一端と対向する他端とを結ぶ直線である。
α”’は、仮想面内において、前記第３の仮想線と第６の仮想線とがなす角度であり、
前記第６の仮想線は、仮想面と平行な面内にあり、前記表示部の表示面の一端と該表示部の表示面の一端と対向する他端とを結ぶ直線である。
【請求項７】
前記ビームコンバイナを開閉可能に支持し、且つ、第３の所定角度で前記ビームコンバイナを固定するビームコンバイナ開閉支持手段を有し、
前記ビームコンバイナ開閉支持手段が、前記表示部の一端と前記ビームコンバイナの一端が交わる位置の近傍に設けられるとともに、前記第３の所定角度が下記に示す範囲(4)における角度となるように構成されることを特徴とする請求項１に記載の携帯情報端末装置。
４５°＜α＜９０°                                      …(4)
但し、
αは、仮想面内において、前記第３の仮想線と前記第１の仮想線とがなす角度である。
【発明の詳細な説明】
【技術分野】
【０００１】
本発明は液晶パネルなどの表示素子を有する携帯電話機等の携帯情報端末装置に関する。
【背景技術】
【０００２】
一般に、携帯電話機等の携帯情報端末の表示面には液晶パネルが設けられている。この液晶パネルには、使用者が入力した情報や、電子メールやインターネットサイトと接続することによって受信した情報や、外部を撮影した情報が表示される。
ところで、携帯電話機等の携帯情報端末は、携帯使用を可能とし、且つ、非使用時に収納スペースをとらないように、小型・軽量化が図られているため、表示パネルを大きくすることができない。
このため、携帯電話機等の携帯情報端末には、老眼や弱視等の視力が弱い観察者にとっては、携帯電話機等の液晶パネルに表示された情報が判読しずらくなる、という問題がある。
【０００３】
この問題を解消する手法としては、比較的大きな表示画面を有する装置の利用が考えられる。例えば、パーソナルコンピュータ等は非携帯の情報端末装置であるが、比較的大きな表示画面を有する。そこで、携帯電話機等の携帯情報端末を、パーソナルコンピュータ等に接続して、携帯情報端末で入力、受信、及び撮像した情報をその比較的大きな表示画面で観察することが考えられる。
しかし、そのような方法では、パーソナルコンピュータが必要不可欠となる。そうすると、普段パーソナルコンピュータを使用する必要性のない人に対とっては、経済的負担や、収納スペース等の負担が生じることになる。その反面、パーソナルコンピュータとしての他の利用価値が得られない。また、そのような方法では、そもそも、パーソナルコンピュータがある場所でしか利用できないことになるので、携帯情報端末の特徴的な利点である携帯性を生かすことができない。
【０００４】
しかるに、従来、このような問題を解消することを目的とした携帯情報端末として、例えば、特許文献１に提案されたものがある。この特許文献１では、携帯情報端末は反射光学手段を備え、この反射光学手段が、表示部の表示内容を拡大反射させて使用者の目に導くようになっている。
【特許文献１】特開２０００−５９８５３号公報
【発明の開示】
【発明が解決しようとする課題】
【０００５】
しかし、特許文献１の携帯情報端末では、反射光学手段を介して表示部の表示像の大きさを拡大しても、画像を良好に拡大することが難しい。即ち、特許文献１においては、液晶表示部２と凹面鏡３とのなす角が鈍角になっている。このような構成では、凹面鏡３への光線入射角が大きくなることから、光学的な補正を十分に行うことができなくなる。その結果、拡大された表示内容に、例えば歪みが生じる可能性がある。そのため、液晶パネルに表示された情報の判読が困難な観察者にとって、判読の困難さを解消することが十分にできない。
【０００６】
本発明は、上記問題点に鑑みてなされたものであり、液晶パネルに表示された文字情報や画像情報を、観察者が十分に判読できる程度に、良好に拡大観察することが可能な携帯情報端末装置を提供することを目的とする。
【課題を解決するための手段】
【０００７】
上記目的を達成するため、本発明による携帯情報端末装置は、情報入力部を有する把持部と、前記情報入力部で入力した情報又は外部から得た情報を表示する表示面を有する表示部と、ビームコンバイナを少なくとも有する携帯情報端末装置であって、前記表示部を前記把持部に対して開閉可能に支持し、且つ、次の条件式(1)に示す範囲のうち、第１の所定角度で前記表示部、または表示面を固定する表示部開閉支持手段を有し、前記ビームコンバイナが、前記表示面に表示された情報を拡大して、前記把持部の側方に位置する観察者の瞳方向に反射する光学的パワーを有することを特徴としている。
１８０°＜β＜２７０°                                …(1)
但し、βは、仮想面内において、第１の仮想線と第２の仮想線とがなす角度である。前記仮想面は、前記表示部の前記ビームコンバイナ側の面に直交し、前記第１の仮想線を含む面である。前記第１の仮想線は、仮想面内にあり、前記表示部の一端と該表示部の一端と対向する他端とを結ぶ直線である。前記第２の仮想線は、仮想面内にあり、前記把持部における観察者の瞳側の面の一端と該観察者の瞳側の面の一端と対向する他端とを結ぶ直線である。
【０００８】
また、本発明の携帯情報端末装置においては、前記ビームコンバイナを開閉可能に支持し、且つ、第２の所定角度で前記ビームコンバイナを固定するビームコンバイナ開閉支持手段と、前記ビームコンバイナと前記表示部とを連結するビームコンバイナ連結手段と、前記ビームコンバイナ連結手段を前記表示部に対して、前記ビームコンバイナが前記表示面から離れる方向に移動可能に支持し、且つ、前記ビームコンバイナ連結手段を所定量移動させたときの状態を保持するビームコンバイナ連結手段移動手段を有し、前記ビームコンバイナ開閉支持手段が、前記ビームコンバイナ連結手段の一端と前記ビームコンバイナの一端が交わる位置の近傍に設けられ、前記第２の所定角度が下記に示す範囲(2)における角度であり、下記に示す範囲(3)のうち、第３の所定角度で前記ビームコンバイナと前記表示部を保持可能にするのが好ましい。
４５°＜α’＜９０°                                    …(2)
０°＜α＜４５°                                        …(3)
但し、α’は仮想面内において、第３の仮想線と第４の仮想線とがなす角度である。前記第３の仮想線は、仮想面内にあり、前記ビームコンバイナの一端と該ビームコンバイナの一端と対向する他端とを結ぶ直線である。前記第４の仮想線は、仮想面内にあり、前記ビームコンバイナ連結手段の一端と該ビームコンバイナ連結手段の一端と対向する他端とを結ぶ直線である。αは仮想面内において、前記第３の仮想線と前記第１の仮想線とがなす角度である。
【０００９】
また、本発明の携帯情報端末装置においては、前記ビームコンバイナと前記表示部とを連結するビームコンバイナ連結手段と、前記ビームコンバイナ連結手段を前記表示部に対して、前記ビームコンバイナが前記表示面から離れる方向に移動可能に支持し、且つ、前記ビームコンバイナ連結手段を所定量移動させたときの状態を保持するビームコンバイナ連結手段移動手段を有し、前記ビームコンバイナ開閉支持手段が、前記ビームコンバイナ連結手段の一端と前記ビームコンバイナの一端が交わる位置の近傍に設けられ、下記に示す範囲(4)のうち、第３の所定角度で前記ビームコンバイナと前記表示部を保持可能であり、条件式(5)を満足するように、前記ビームコンバイナを前記表示部に対して位置させるのが好ましい。
４５°＜α＜９０°                                      …(4)
１．５＜ｚ／ｐ＜５．０                                  …(5)
但し、αは仮想面内において、前記第３の仮想線と前記第１の仮想線とがなす角度である。ｐは前記表示面における前記第１の仮想線方向の辺の長さである。ｚは前記表示面の中心と前記ビームコンバイナの中心との近軸距離である。
【００１０】
また、本発明の携帯情報端末装置においては、前記ビームコンバイナ連結手段移動手段が、前記ビームコンバイナ連結手段を前記表示部に対し回動可能に支持する支持具からなるのが好ましい。
【００１１】
また、本発明の携帯情報端末装置においては、前記ビームコンバイナ連結手段が、折り畳み可能に構成されているのが好ましい。
【００１２】
また、本発明の携帯情報端末装置においては、前記表示部が、前記表示面の周りを囲む外枠部を有し、更に、前記ビームコンバイナを開閉可能に支持し、且つ、第４の所定角度で前記ビームコンバイナを固定するビームコンバイナ開閉支持手段と、前記表示面を前記外枠部に対して回動可能に支持し、且つ、前記表示面を所定量回動させたときの状態を保持する表示面回動支持手段を有し、前記表示部開閉支持手段が、前記外枠部を把持部に対して開閉可能に支持するように構成され、前記ビームコンバイナ開閉支持手段が、前記外枠部の一端と前記ビームコンバイナの一端が交わる位置の近傍に設けられ、前記第４の所定角度が下記に示す範囲(6)における角度であり、 下記に示す範囲(7)うち、第５の所定角度で前記ビームコンバイナと前記表示面を保持可能にするのが好ましい。
４５°＜α”＜９０°                                    …(6)
０°＜α”’＜４５°                                    …(7)
但し、α”は、仮想面内において、前記第３の仮想線と第５の仮想線とがなす角度である。前記第５の仮想線は、仮想面内にあり、前記表示部の外枠部の一端と該表示部の外枠部の一端と対向する他端とを結ぶ直線である。α”’は、仮想面内において、前記第３の仮想線と第６の仮想線とがなす角度である。前記第６の仮想線は、仮想面と平行な面内にあり、前記表示部の表示面の一端と該表示部の表示面の一端と対向する他端とを結ぶ直線である。
【００１３】
また、本発明の携帯情報端末装置においては、前記ビームコンバイナを開閉可能に支持し、且つ、第３の所定角度で前記ビームコンバイナを固定するビームコンバイナ開閉支持手段を有し、前記ビームコンバイナ開閉支持手段が、前記表示部の一端と前記ビームコンバイナの一端が交わる位置の近傍に設けられ、前記第３の所定角度が下記に示す範囲(4)における角度となるのが好ましい。
４５°＜α＜９０°                                      …(4)
但し、αは、仮想面内において、前記第３の仮想線と前記第１の仮想線とがなす角度である。
【発明の効果】
【００１４】
本発明によれば、従来の携帯電話機においては液晶パネルに表示された像の判読が困難であった観察者が十分に判読できる程度に、液晶パネルに表示された像を拡大観察し易くすることが可能な携帯情報端末装置が得られる。また、観察者が観察する際の視野角を広くすることができるので、十分に判読できる程度に、画像（情報）を拡大することができる。
【発明を実施するための最良の形態】
【００１５】
実施例の説明に先立ち、本発明の作用効果について説明する。
図１は、第１実施形態の携帯情報端末装置を示す図あって、表示部１（あるいは、表示面１ａ）とビームコンバイナ２、表示部１（あるいは、表示面１ａ）と把持部３の位置の関係を示す説明図である。図１中、Ｅは観察者の眼球である。
【００１６】
携帯情報端末装置は、情報入力部を有する把持部３と、表示面１ａを有する表示部１と、ビームコンバイナ２と、表示部開閉支持手段５を有している。ここで、表示面１ａは、情報入力部で入力した画像（情報）又は外部から得た画像（情報）を表示する。ビームコンバイナ２は、表示面１ａに表示された画像（情報）を、拡大するような光学的パワーを持つ。このビームコンバイナ２は、ハーフミラーで構成されている。
表示部１の表示面１ａに表示された画像（情報）は、ビームコンバイナ２で反射されて観察者の瞳Ｅに導かれる。観察者の瞳Ｅからは、ビームコンバイナ２を隔てた所定の位置に、表示面１ａに表示された画像（情報）の虚像Ｉが、拡大形成される。よって、観察者は、この虚像Ｉを拡大観察できる。
【００１７】
本実施形態の携帯情報端末装置では、表示部１が、把持部３に対して開閉可能になっている。具体的には、表示部開閉支持手段５を中心に、表示部１が回転する。よって、図１に示すように、表示部１を、把持部３に対して展開させることができる。そして、展開した際に、次の条件式(1)を満足する範囲のうちの第１の所定角度で、表示部１を把持部３に対して固定することができるようになっている。
１８０°＜β＜２７０°                                …(1)
但し、βは、仮想面内において、第１の仮想線と第２の仮想線とがなす角度である。そして、この仮想面は、表示部１のビームコンバイナ２側の面（面１ｓ）に直交し、第１の仮想線を含む面である。また、第１の仮想線は、表示部１の一端と、この一端と対向する他端とを結ぶ直線である。第２の仮想線は、把持部における観察者の瞳側の面（面３ｓ）の一端と、この一端と対向する他端とを結ぶ直線である。第１の仮想線及び第２の仮想線は、いずれも、上記仮想面内にある。なお、図１では、第１の仮想線は、記号Ｌ１で示されている直線である。第２の仮想線は、記号Ｌ２で示されている直線である。
【００１８】
本実施形態の携帯情報端末装置では、上記構成を備えることにより、ビームコンバイナ２の半透過面２ｓと表示面１ａを、略平行な位置関係にすることができる。そのため、表示面１ａ表示された文字情報や画像情報を、良好に拡大投影することができる。よって、観察者は、表示面１ａに表示された情報を、十分に判読することができる。
【００１９】
次に、第２の実施形態の携帯情報端末装置を、図２に示す。図２に示す携帯情報端末装置は、ビームコンバイナ開閉支持手段６と、ビームコンバイナ連結手段７と、ビームコンバイナ連結手段移動手段８を備える。ここで、ビームコンバイナ開閉支持手段６は、ビームコンバイナ２を開閉可能に支持する。また、ビームコンバイナ開閉支持手段６は、第２の所定角度で、ビームコンバイナ２を保持（一時的に固定）する機構を有している。また、ビームコンバイナ開閉支持手段６は、ビームコンバイナ連結手段７の一端とビームコンバイナ２の一端が交わる位置の近傍に設けられている。
ビームコンバイナ連結手段７は、ビームコンバイナ２と表示部１とを連結する。ビームコンバイナ連結手段移動手段８は、ビームコンバイナ連結手段７を、表示部１に対して、ビームコンバイナ２を移動可能に支持する。移動方向は、ビームコンバイナ２が、表示面１ａから離れる方向である。また、ビームコンバイナ連結手段移動手段８は、ビームコンバイナ連結手段７を所定量移動させたときに、その状態を保持する機構を有している。
そして、本実施形態の携帯情報端末装置は、下記に示す範囲(2)のうちの第２の所定角度で、ビームコンバイナ２を保持可能とし、下記に示す範囲(3)のうちの第３の所定角度で、ビームコンバイナ２と表示部１を保持可能にしている。
４５°＜α’＜９０°                                    …(2)
０°＜α＜４５°                                        …(3)
但し、α’は仮想面内において、第３の仮想線と第４の仮想線とがなす角度である。そして、第３の仮想線は、ビームコンバイナ２の一端と、この一端と対向する他端とを結ぶ直線である。また、第４の仮想線は、ビームコンバイナ連結手段の一端と、この一端と対向する他端とを結ぶ直線である。第３の仮想線及び第４の仮想線は、いずれも、上記仮想面内にある。また、αは、仮想面内において、第３の仮想線と第１の仮想線とがなす角度である。
なお、図２では、第１の仮想線は、記号Ｌ１で示されている直線である。第３の仮想線は、記号Ｌ３で示されている直線である。図２における直線Ｌ３は、ビームコンバイナ２の有効光路面の両端２ａ，２ｂを結ぶ直線である。このように、第３の仮想線は、ビームコンバイナ２の両端を結ぶ直線であっても、有効光路面の両端を結ぶ直線であっても良い。
【００２０】
上記条件式(2)及び(3)について説明する。本実施形態の携帯情報端末装置は、ビームコンバイナ連結手段７を介して、ビームコンバイナ２を展開するように構成されている。そこで、第４の仮想線と第２の仮想線が平行となるように、ビームコンバイナ連結手段７を、把持部３に対して展開する。そして、条件式(2)に示す範囲のうちの所定の第２の所定角度で、ビームコンバイナ２を展開する。このようにすると、観察者は、把持部３を持った状態で、ビームコンバイナ２を視野内に位置させることができる。
【００２１】
次に、条件式(3)について、図３及び図４を用いて説明する。図３(a)に示す構成では、表示面１ａの一端部１ａａ、中心１ａｃ、他端部１ａｂからビームコンバイナ２の有効光路面の一端部２ａ、中心２ｃ、他端部２ｂへ入射する光路長がそれぞれ異なる。そして、ビームコンバイナ２の有効光路面における曲率が一定である場合、上記光路長の違いに応じて、虚像Ｉの結像位置Ｉａ，Ｉｃ，Ｉｂは、それぞれ観察者の瞳Ｅからの距離が大きく異なり、虚像Ｉの観察者の観察方向に垂直な方向に対する傾きが大きくなる。
この虚像Ｉの傾きが大きいと、結像位置ごとに倍率が異なり、ディストーションが大きくなる。また、観察者の瞳Ｅに対して、奥行きのある像を表示することになるため、観察者は、虚像Ｉの全ての位置に焦点を合わせることが困難になる。
ところで、被写体面と、レンズの主面と、像面との関係を示す条件として、シャインプルーフの条件が知られている。
シャインプルーフの条件とは、図４に示すように、被写体面と、レンズの主面と、像面のそれぞれを延長した面が一箇所Ｓで交われば、像面全体でピントが合うという条件である。なお、図４においては、被写体面のＡ点とＢ点とでは、それぞれレンズ主面へ入射する光路長が異なるため、像面のＡ’点とＢ’点とでの倍率が異なり、被写体が歪んで写る。
【００２２】
ここで、図４に示される各位置を図３(a)に当てはめる。図４における被写体面のＡ点，Ｂ点は図 ３(a)における表示面１ａの端部１ａａ，１ａｂに相当する。また、図４における像面のＡ’点，Ｂ’点は、図３(a)における像Ｉの結像位置Ｉａ，Ｉｂに相当する。また、図４におけるレンズ主面は、図３(a)におけるビームコンバイナ２の有効光路面に相当する。さらに、図４では、被写体面と、レンズの主面と、像面のそれぞれを延長した面が交わる位置を、Ｓで示してある。この位置Ｓは、図 ３(a)では、第１の仮想線Ｌ１と、第３の仮想線Ｌ３と、像Ｉの延長線との交点Ｓ’で示すことができる。ここでの第１の仮想線Ｌ１は、表示部１ａの一端部１ａａと、この一端１ａａと対向する他端部１ａｂとを結ぶ直線である。また、第３の仮想線Ｌ３は、ビームコンバイナ２の一端部２ａとこの一端部２ａと対向する他端２ｂとを結ぶ直線である。
【００２３】
この図３(a)に示す状態から、一端部１ａａを軸として、表示面１ａをビームコンバイナ２から離れる方向に回転させる。すると、交点Ｓ’は第３の仮想線Ｌ３に沿って移動する。その結果、第３の仮想線Ｌ３と第１の仮想線Ｌ１とのなす角αは、図３(b)に示すように、次第に小さくなる。
その結果、図 ３(b)に示すように、ビームコンバイナ２の有効光路面に対して、表示面１ａがほぼ平行に近づくようになる。このとき、表示面１ａの一端部１ａａ、中心１ａｃ、他端部１ａｂからビームコンバイナ２の有効光路面の一端部２ａ、中心２ｃ、他端部２ｂへ入射する光路長がほぼ等しくなる。このため、ビームコンバイナ２の有効光路面における曲率が一定であるとすれば、虚像Ｉの結像位置Ｉａ，Ｉｃ，Ｉｂは、観察者の瞳Ｅからほぼ等距離となる。すなわち、観察者の観察方向に垂直な方向に対して、虚像Ｉの傾きが殆どなくなる。これにより、虚像Ｉのディストーションが良好に補正される。また、観察者は、虚像Ｉの全ての位置に焦点を合わせることが容易となる。
【００２４】
このような理由から、下記の範囲(3)のうちの第３の所定角度で、ビームコンバイナ２と表示部１を保持可能にするのが好ましい。
０°＜α＜４５°                                        …(3)
αが上限値を上回ると、虚像Iの傾きが大きくなり過ぎる。その結果、上述したように、ディストーションが大きくなる。また、虚像Ｉの全ての位置に焦点を合わせることが困難になるため、観察が困難になる。
【００２５】
なお、表示面１ａを前記把持部に対して０°〜１８０°の範囲に傾斜させた状態にすると、観察者の瞳Ｅの位置が、携帯情報端末の本体（表示部及び把持部）に近づき過ぎてしまう。その結果、観察者は、ビームコンバイナ２を介しての観察を行い難くなる。
しかしながら、本実施形態の携帯情報端末装置も、上述の範囲(1)のうち、第１の所定角度となるように構成されている。よって、ビームコンバイナ２と観察者の相対的な関係を、良好に設定することができる。
【００２６】
このようにすれば、従来の携帯情報端末装置に比べて、観察者が観察可能な像Ｉを十分に大きくとることができる。その結果、表示面１ａに表示された画像（情報）の大きさが従来の携帯電話装置と同じであっても、観察者が十分に判読できる程度に、画像（情報）を拡大して観察することができる。そして、表示面１ａとビームコンバイナ２とのなす角度αを極力ゼロ（表示面１ａとビームコンバイナ２を平行）に近付けることで、虚像Ｉの観察者の観察方向に垂直な方向に対する傾きを無くしている。その結果、虚像Ｉのディストーションを、良好に補正することができる。また、観察者は、虚像Ｉの全ての位置に焦点を合わせることが容易となる。
また、本実施形態の携帯情報端末装置によれば、観察者の瞳Ｅの位置が、携帯情報端末の本体（表示部及び把持部）に近づき過ぎるのを防ぐことができる。そして、表示面１ビームコンバイナ２から離した状態で、両者をより平行な状態に近付けることができる。
【００２７】
また、第３の実施形態の携帯情報端末装置は、第２の実施形態における範囲(2)及び範囲(3)に代えて、第３の所定角度が下記に示す範囲(4)となり、且つ条件(5)を満足するものである。
４５°＜α＜９０°                                      …(4)
１．５＜ｚ／ｐ＜５．０                                  …(5)
但し、αは、仮想面内において、第３の仮想線と前記第１の仮想線とがなす角度である。ｐは、表示面１ａにおける第１の仮想線方向の辺の長さである。ｚは、表示面１ａの中心とビームコンバイナ２の中心との近軸距離である。
【００２８】
第３の実施形態の携帯情報端末装置を、図５を用いて説明する。  図５(a)に示すような構成では、表示部１とビームコンバイナ２との近軸距離が近い。そのため、像Ｉを観察者が観察できる程度の大きさに拡大するには、ビームコンバイナ２の面に設ける曲率を大きくする必要がある。しかし、ビームコンバイナ２の面の曲率を大きくすると、収差が大きく発生することになる。
他方、図５(a)の構成において、ビームコンバイナ２の面の曲率を小さくしたのでは、像Ｉを観察者が観察できる程度の大きさを確保することができない。
【００２９】
ところで、表示面１ａの中心とビームコンバイナ２の中心との近軸距離をＺ、瞳中心から虚像中心までの近軸距離をＺ’、ビームコンバイナ２の近軸焦点距離をｆとすると、ニュートンの式より、
ＺＺ’＝ｆ2
という関係式が成り立つ。
従って、表示面１ａの中心とビームコンバイナ２の中心との近軸距離Ｚを大きくすれば、ｆ2の値も大きくなり、ビームコンバイナ２の近軸焦点距離ｆが大きくなる。ビームコンバイナ２の近軸焦点距離ｆが大きくなれば、ビームコンバイナ２の曲率を弱くすることができるため、収差の発生量を減少させることができる。
【００３０】
そこで、本実施形態の携帯情報端末装置では、例えば、図５(b)に示すように、表示面１ａからビームコンバイナ２を離した構成にする。
具体的には、図２に示すような、ビームコンバイナ開閉支持手段６、ビームコンバイナ連結手段７、ビームコンバイナ連結手段移動手段８を備える。各手段の機能（作用）は、既に説明した通りである。  そして、下記に示す範囲(4)のうちの第３の所定角度で、ビームコンバイナ２と表示部１を保持可能にし、次の条件式(5)を満足するように、ビームコンバイナ２を表示部１に対して位置させている。
４５°＜α＜９０°                                      …(4)
１．５＜ｚ／ｐ＜５．０                                  …(5)
【００３１】
αが９０°を上回ると、観察者の瞳Ｅから虚像Ｉを観察するときの画角が狭くなる。そのため、観察者が観察できる像Ｉの大きさを、大きくとることができない。また、表示部１に表示された文字情報や画像情報を、良好に拡大観察することが困難になる。また、αが４５°を下回ると、観察者の瞳Ｅの位置が携帯情報端末の本体（表示部及び把持部）に近づき過ぎて、観察し難くなってしまう。
上記条件式(5)を満足すれば、ビームコンバイナ２の近軸焦点距離ｆが大きくなり、ビームコンバイナ２の曲率を弱くすることができるため、収差の発生量を減少させることができ高解像度なビームコンバイナが得られる。
上記条件式(5)の下限値を下回ると、表示面１ａがビームコンバイナ２に近いため、ビームコンバイナに高パワーが必要となり、高解像度なビームコンバイナが達成できない。
一方、上記条件式(5)の上限値を上回ると、表示面１ａとビームコンバイナ２との間の距離が長くなり過ぎてしまい、表示面１ａに対してビームコンバイナ２の面積を大きくしなければ、表示面１ａの全ての像を観察できなくなる。即ち、ビームコンバイナ２で表示できる画角の範囲が狭くなってしまう。
【００３２】
なお、表示面１ａを前記把持部に対して０°〜１８０°の範囲に傾斜させた状態にすると、観察者の瞳Ｅの位置が、携帯情報端末の本体（表示部及び把持部）に近づき過ぎてしまう。その結果、観察者は、ビームコンバイナ２を介しての観察を行い難くなる。
しかしながら、本実施形態の携帯情報端末装置も、上述の範囲(1)のうち、第１の所定角度となるように構成されている。よって、ビームコンバイナ２と観察者の相対的な関係を、良好に設定することができる。
また、このように構成すると、表示面１からビームコンバイナ２を離し易くなり、上記条件式(5)を満足させ易くなる。また、観察者の瞳Ｅの位置が、携帯情報端末の本体（表示部及び把持部）に近づき過ぎるのを防ぐことができる。
なお、ビームコンバイナ連結手段移動手段８は、ビームコンバイナ連結手段７を表示部１に対し回動可能に支持する支持具で構成する。また、ビームコンバイナ連結手段７は、折り畳み可能に構成してもよい。
【００３３】
また、本発明の第４実施形態の携帯情報端末装置として、次のように構成してもよい。すなわち、ビームコンバイナ２を開閉可能に支持し、且つ、第４の所定角度でビームコンバイナ２を固定するビームコンバイナ開閉支持手段６を設ける。そして、表示部１が、表示面１ａの周りを囲む外枠部を有するようにする。それと共に、表示面１を外枠部に対して回動可能に支持し、且つ、表示面１ａを所定量回動させたときの状態を保持する表示面回動支持手段を有するように、携帯情報端末装置を構成してもよい。その場合は、外枠部を把持部３に対して開閉可能に支持するように、表示部開閉支持手段を構成する。また、ビームコンバイナ開閉支持手段６を、外枠部の一端と前記ビームコンバイナ２の一端が交わる位置の近傍に設ける。そして、第４の所定角度が下記に示す範囲(6)における角度となるようにする。更に、下記に示す範囲(7)のうちの第５の所定角度で、前記ビームコンバイナと前記表示面を保持可能にする。
４５°＜α”＜９０°                                    …(6)
０°＜α”’＜４５°                                    …(7)
但し、α”は、仮想面内において、第３の仮想線と第５の仮想線とがなす角度である。第５の仮想線は、仮想面内にあり、表示部１の外枠部の一端と表示部１の外枠部の一端と対向する他端とを結ぶ直線である。α”’は、仮想面内において、第３の仮想線と第６の仮想線とがなす角度である。第６の仮想線は、仮想面と平行な面内にあり、表示部１の表示面１ａの一端と表示部１の表示面１ａの一端と対向する他端とを結ぶ直線である。
【００３４】
第４実施形態の携帯情報端末装置では、ビームコンバイナ２を表示部１の外枠部に直接、回動可能に取り付ける構成としている。このようにすれば、図２に示した第１実施形態の携帯情報端末装置のような構造、すなわち表示部１にビームコンバイナ２との連結部材を設け、さらにその連結部材にビームコンバイナ２を回動可能に取り付ける構成に比べて、ビームコンバイナの取り付け精度が安定する。それとともに、ビームコンバイナと表示面とのなす角α”’の角度調整がし易くなる。
【００３５】
なお、本実施形態における範囲(6)及び範囲(7)は、それぞれ、第２実施形態における範囲(2)及び範囲(3)に該当する。よって、その範囲の上限、下限についての説明は、省略する。
【００３６】
また、本実施形態においても、表示面１ａを前記把持部に対して０°〜１８０°の範囲に傾斜させた状態にすると、観察者の瞳Ｅの位置が、携帯情報端末の本体（表示部及び把持部）に近づき過ぎてしまう。その結果、観察者は、ビームコンバイナ２を介しての観察を行い難くなる。
しかしながら、本実施形態の携帯情報端末装置も、上述の範囲(1)のうち、第１の所定角度となるように構成されている。よって、ビームコンバイナ２と観察者の相対的な関係を、良好に設定することができる。
【００３７】
さらに、他の実施形態の携帯情報装置として、次のように構成してもよい。ビームコンバイナ２を開閉可能に支持し、且つ、第２の所定角度でビームコンバイナ２を固定するビームコンバイナ開閉支持手段６を設ける。そして、このビームコンバイナ開閉支持手段６を、表示部１の一端とビームコンバイナ２の一端が交わる位置の近傍に設ける。そして、第３の所定角度下記に示す範囲(4)における角度となるようにする。
４５°＜α＜９０°                                      …(4)
但し、αは、仮想面内において、前記第３の仮想線と前記第１の仮想線とがなす角度である。
このように構成した場合にも、観察者の瞳の位置が携帯情報端末の本体（表示部及び把持部）に近づき過ぎるのを防ぎながら、観察者が十分に判読できる程度に、良好に拡大観察することができる。
【００３８】
なお、本発明の各実施形態の携帯情報端末では、表示面で表示された画像をビームコンバイナで反射して、観察者の瞳に導くように構成されている。このような構成の携帯情報端末装置においては、ビームコンバイナが、表示面に対して偏心配置される。このため、ビームコンバイナを介して観察される像に偏心収差が生じやすい。
しかるに、上記各実施形態の携帯情報端末装置において、ビームコンバイナに非対称なパワーを持たせる。具体的には、第２の仮想線に沿う方向において、徐々にパワーが変化するように、ビームコンバイナの光学面を形成する。このようにすれば、表示面に対しビームコンバイナが偏心していることにより偏心収差が発生しても、この偏心収差を補正することができる。
【実施例１】
【００３９】
以下、本発明の実施例につき図面を用いて説明する。
図６は本発明の実施例１にかかる携帯情報端末装置の概略構成を示す斜視図であり、(a)は表示部を閉じた状態、(b)は表示部を展開した状態、(c)は(b)の状態からビームコンバイナを展開した状態を示している。図７は図６の携帯情報端末装置を側方からみた概略図であり、(a)は表示部を閉じた状態、(b)は表示部を展開した状態、(c)は(b)の状態からビームコンバイナを展開した状態を示している。図８は図６(c)に示す状態の携帯情報端末装置における表示部及びビームコンバイナと観察者の瞳位置との関係を示す説明図である。図９は図６の携帯情報端末装置におけるビームコンバイナ連結手段、ビームコンバイナ開閉支持手段、及びビームコンバイナ連結手段移動手段の一例を示す分解図であり、(a)はビームコンバイナ開閉支持手段、及びビームコンバイナ連結手段を示す分解斜視図、(b)はビームコンバイナ連結手段移動手段を示す分解斜視図である。図１０は図６の携帯情報端末装置の分解図であり、(a)は表示部と把持部の分解斜視図、(b)は表示部開閉支持手段の一例を示す分解斜視図である。
【００４０】
実施例１の携帯情報端末装置は、情報入力部４を有する把持部３と、表示面１ａを有する表示部１と、光学的パワーを有するビームコンバイナ２と表示面開閉支持手段５を有している。ここで、表示面１ａは、情報入力部４で入力した情報、又は外部から受信した情報を表示する。また、表示部開閉支持手段５は、表示部１を把持部３に対して開閉可能に支持している。このような構成により、実施例１の携帯情報端末装置は、所謂折り畳みタイプの携帯電話機として構成されている。
【００４１】
表示部開閉支持手段５は、図１０に示すように、円筒部５ｂと、円筒部５ａと、バネ５ｃと、球状部材５ｄと、ピン５ｅと、止め具５ｆを有している。ここで、円筒部５ｂは、表示部１の一端に一体形成されている。また、円筒部５ａは、把持部３の一端に一体形成されている。
円筒部５ａには、長手方向に沿って、中央に貫通孔５ａ１が形成されている。そして、円筒部５ａの一端には、ピン５ｅの頭部を収納するための凹部５ａ２が、他端には、バネ５ｃを取り付けるための取付部（図示省略）が、それぞれ形成されている。
円筒部５ｂの中央には、長手方向に沿って、中央に貫通孔５ｂ１が形成されている。そして、円筒部５ｂの一端には、止め具５ｆを収納するための凹部（図示省略）が、他端には、球状部材５ｄの一部を嵌合可能な係止溝５ｂ２，５ｂ３が、それぞれ形成されている。
【００４２】
そして、表示部開閉支持手段５では、バネ５ｃを円筒部５ａの取付部に取り付けるとともに、バネ５ｃの先端に球状部材５ｄを取り付けている。そして、この状態で、ピン５ｅを円筒部５ａの凹部５ａ２側から、円筒部５ａ，５ｂの貫通孔５ａ１，５ｂ１に通し、その先端を止め具５ｆで止めている。このような構成により、表示部開閉支持手段５は、表示部１を把持部３に対し開閉可能に支持している。
また、表示部開閉支持手段５では、表示部１を展開したときに、球状部材５ｄが係止溝５ｂ２，５ｂ３に嵌合し、且つ、バネ５ｃに付勢される。このようにすることで、β＝０°（閉じた状態の角度β）、及びβ＝第１の所定角度（展開した状態の角度β）となるように、表示部１を把持部３に対して固定することができるようになっている。ここで、βは、固定することができるようになっている。また、第１の所定角度は、１８０°＜β＜２７０°の範囲のうちの所定角度である。
なお、表示部１を把持部３に対して開閉可能に支持し、且つ、βが第１の所定角度（上記例では、１８０°＜β＜２７０°の範囲のうちの所定角度）となるように、表示部１を把持部３に対して固定することができる構成であれば、上記構成に限定されるものではない。例えば、円筒部５ａ，５ｂのそれぞれに磁石を備えた係止部を設け、互いの係止部が当接したときに、βが１８０°＜β＜２７０°の範囲のうちの第１の所定角度となり、且つ、磁力でその状態が保持されるように構成してもよい。
【００４３】
また、実施例１の携帯情報端末装置は、ビームコンバイナ連結手段７と、ビームコンバイナ連結手段移動手段８と、ビームコンバイナ開閉支持手段６を有している。ビームコンバイナ連結手段７には、一端にビームコンバイナ２が接続され、他端に表示部１が接続されている。そして、ビームコンバイナ連結手段移動手段８は、ビームコンバイナ連結手段７を表示部１に対して、移動可能に支持している。移動方向は、ビームコンバイナ２が表示面１ａから離れる方向である。なお且つ、ビームコンバイナ連結手段移動手段８は、ビームコンバイナ連結手段７を所定量移動させたときに、その位置での状態を保持できるような機構を有している。また、ビームコンバイナ開閉支持手段６は、ビームコンバイナ２をビームコンバイナ連結手段７に対して開閉可能に支持している。なお且つ、ビームコンバイナ開閉支持手段６は、ビームコンバイナ２を所定量展開したとき、その位置での状態を保持できるような機構を有している。
【００４４】
ビームコンバイナ連結手段７は、図９(a)，(b)に示すように、対向配置された２本のアーム状部材７ａと、板状部材７ｂとで構成されている。
ビームコンバイナ開閉支持手段６は、図７(a)に示すように、回転軸部６ａ、軸孔６ｂ、及び半球状の凸部６ｃと、凹部６ｄ１，６ｄ２、係止部６ｅ、及び板状部材７ｂの内側面６ｆとで構成されている。ここで、回転軸部６ａ及び半球状の凸部６ｃは、ビームコンバイナ２の一端部の両側面に設けられている。また、軸孔６ｂ、係止部６ｅ、凹部６ｄ１及び６ｄ２は、２本のアーム状部材７ａの一端部に設けられている。
【００４５】
軸孔６ｂは、ビームコンバイナ２がアーム状部材７ａに対して回動可能となるように、回転軸部６ａと嵌合可能に形成されている。
凹部６ｄ１，６ｄ２は、凸部６ｃと嵌合可能に形成されている。
係止部６ｅは、凸部６ｃが凹部６ｄ２に嵌合したときに、ビームコンバイナ２の内側面２’と当接するように形成されている。すなわち、係止部６ｅは、ビームコンバイナ２を閉じようとする時に、ビームコンバイナ２がそれ以上、閉じる方向へ移動するのを規制する。
板状部材７ｂは、２本のアーム状部材７ａの一端面と接合している。板状部材７ｂと２本のアーム状部材７ａが接合した状態では、ビームコンバイナ２の両側面に設けられた回転軸部６ａに、２本のアーム状部材７ａの軸孔６ｂが嵌合している。
板状部材７ｂの内側面６ｆは、凸部６ｃが凹部６ｄ１に嵌合したときに、ビームコンバイナ２の外側面と当接する。すなわち、内側面６ｆ（板状部材７ｂ）は、ビームコンバイナ２を開こうとするときに、ビームコンバイナ２がそれ以上、開く方向へ移動するのを規制する。
【００４６】
ビームコンバイナ連結手段移動手段８は、図９(b)に示すように、回転軸部８ａ、円筒部８ｂ、及び係止突起８ｃと、支持部８ｄとで構成されている。ここで、支持部８ｄは、表示部１（図９において図示省略）の両側面に設けられている。この支持部８ｄは、軸孔８ｅと、回転溝部８ｆと、係止溝８ｇ１，８ｇ２と、回転軸止め具８ｈとで構成されている。
回転軸部８ａ、円筒部８ｂ、及び係止突起８ｃは、アーム状部材７ａの他端部に設けられている。
軸孔８ｅは、アーム状部材７ａが表示部１に対して回動可能となるように、回転軸部８ａと嵌合可能に形成されている。
回転溝部８ｆは、円筒部８ｂを嵌入可能に形成されている。更に、回転溝部８ｆは、アーム状部材７ａが所定量回転したときに、係止突起８ｃが嵌合する係止溝８ｇ１又は８ｇ２を有している。そして、係止突起８ｃが係止溝８ｇ１又は８ｇ２に嵌合したとき、円筒部８ｂの近傍において、アーム状部材７ａの側部が回転溝部８ｆに当接するようになっている。このような機構により、必要以上の回転動作を規制するようになっている。
また、回転軸部８ａには、内周面にネジ溝が設けられ、回転軸止め具８ｈには、外周面にネジが設けられている。よって、回転軸部８ａを軸孔８ｅに通し、その反対側から回転具止め具８ｈで螺着することで、回転軸部８ａと支持部８ｄが接続されている。
【００４７】
実施例１の携帯情報端末装置では、１８０°＜β＜２７０°の範囲のうちの第１の所定角度となるように、表示部１が把持部３に対して展開されている。そして、この状態において、ビームコンバイナ連結手段７、ビームコンバイナ連結手段移動手段８、及びビームコンバイナ開閉支持手段６を介して、ビームコンバイナ２が展開される。更に、このとき、４５°＜α’＜９０°の範囲のうちの第２の所定角度となり、０°＜α＜４５°の範囲のうちの第３の所定角度となるように、各手段が位置決めされている。そして、そのように展開された状態のビームコンバイナ２を介して、図８に示すように表示面１ａに表示された情報が、観察者の瞳Ｅ方向に反射されるように構成されている。なお、第３の仮想線Ｌ３は、ビームコンバイナ２の有効光路面の両端２ａ，２ｂを結ぶ直線である。また、第４の仮想線Ｌ４は、ビームコンバイナ連結手段７の一端と、該一端と対向する他端とを結ぶ直線である。また、第１の仮想線Ｌ１は、表示部１の表示面１ａの一端と、該一端と対向する他端とを結ぶ直線である。
【００４８】
実施例１の携帯情報端末装置によれば、虚像の結像位置が、観察者の瞳Ｅからほぼ等距離となる。そのため、観察者の観察方向に垂直な方向に対して、虚像の傾きが殆どなくなる。その結果、虚像のディストーションが良好に補正される。また、観察者は、虚像の全ての位置に焦点を合わせることが容易となる。このため、実施例１の携帯情報端末装置によれば、観察者が十分に判読できる程度に、液晶パネルに表示された像を、傾きが少ない像として観察できる。また、実施例１の携帯情報端末装置によれば、液晶パネルに表示された像を、拡大観察し易くすることが可能となる。
また、本実施形態の携帯情報端末装置は、観察者の瞳Ｅの位置が、携帯情報端末の本体（表示部及び把持部）に近づき過ぎるのを防ぐことができる。そして、表示面１ビームコンバイナ２から離し他状態で、両者をより平行な状態に近付けることができる。
【００４９】
なお、実施例１では、表示部開閉支持手段５が、表示部を展開したときに、１８０°＜β＜２７０°の範囲のうちの第１の所定角度となるように、表示部を把持部に対して固定することができる構成を示した。これとは別に、表示部開閉支持手段５は、表示部１を１８０°＜β＜２７０°の範囲のうちの第１の所定角度を含む複数の角度で展開可能にし、且つその状態を固定することができるように構成してもよい。
同様に、ビームコンバイナ連結手段移動手段８、ビームコンバイナ開閉支持手段６に、同様の機能を持たせても良い。すなわち、ビームコンバイナ２を複数の角度に展開し、且つその状態を固定することができるように、ビームコンバイナ連結手段移動手段８やビームコンバイナ開閉支持手段６を構成してもよい。
さらには、ビームコンバイナ連結手段７のアーム状部材を、折り曲げ可能に構成してもよい。なお、ここでの固定とは、一時的にその状態を保持できる状態を意味している。よって、所定の力が加われば、その状態を変化させることができる。このような機能を実現する方法として、例えば、クリック機構がある。
【実施例２】
【００５０】
図１１は本発明の実施例２にかかる携帯情報端末装置を側方からみた概略図であり、(a)は表示部を閉じた状態、(b)は表示部を展開した状態、(c)は(b)の状態からビームコンバイナを展開した状態を示している。図１２は図９(c)に示す状態の携帯情報端末装置における表示部及びビームコンバイナと観察者の瞳位置との関係を示す説明図である。
実施例２の携帯情報端末装置でも、１８０°＜β＜２７０°の範囲のうちの第１の所定角度となるように、表示部１が把持部３に対して展開されている。そして、この状態において、ビームコンバイナ連結手段７、ビームコンバイナ連結手段移動手段８、及びビームコンバイナ開閉支持手段６を介して、ビームコンバイナ２が展開されている。更に、４５°＜α＜９０°の範囲のうちの第３の所定角度となり、１．５＜ｚ／ｐ＜５．０を満足するように、各手段が位置決めされている。そして、そのように展開された状態のビームコンバイナ２を介して、図１２に示すように、表示面１ａに表示された情報が、観察者の瞳Ｅ方向に反射されるようになっている。
その他の構成は、図６〜図１０に示す実施例１の携帯情報端末装置とほぼ同じである。
【００５１】
実施例２の携帯情報端末装置によれば、表示面をビームコンバイナから適度に離すことができる。そのため、ビームコンバイナのパワー、即ち、ビームコンバイナの面に設ける曲率を、小さくすることができる。加えて、観察者が観察できる程度の像の大きさを、確保することができる。このため、収差が小さく高解像度なビームコンバイナが達成できる。しかも、ビームコンバイナで表示できる画角の範囲が狭くなることもない。
そして、実施例２の携帯情報端末装置においても、１８０°＜β＜２７０°の範囲のうちの第１の所定角度となるように、表示部１が把持部３に対して展開されている。よって、本実施形態の携帯情報端末装置は、観察者の瞳Ｅの位置が、携帯情報端末の本体（表示部及び把持部）に近づき過ぎるのを防ぐことができる。そして、表示面１ビームコンバイナ２から離し他状態で、両者をより平行な状態に近付けることができる。また、上記条件式(3)も満足させ易くなる。
【実施例３】
【００５２】
図１３は本発明の実施例３にかかる携帯情報端末装置の概略構成を示す斜視図であり、(a)は表示部を閉じた状態、(b)は表示部を展開した状態、(c)は(b)の状態からビームコンバイナと表示面構成部を展開した状態を示している。図１４は図１３の携帯情報端末装置を側方からみた概略図であり、(a)は表示部を閉じた状態、(b)は表示部を展開した状態、(c)は(b)の状態からビームコンバイナと表示面構成部を展開した状態を示している。図１５は図１３の携帯情報端末装置の分解図であり、(a)は表示部、把持部、及びビームコンバイナの分解斜視図、(b)は外枠部開閉支持手段の一例を示す分解斜視図である。図１６は図１３の携帯情報端末装置の表示部及び表示面回動支持手段の一例を示す説明図であり、(a)は表示部における外枠部、表示面構成部、及び表示面回動支持手段の分解斜視図、(b)は(a)に示す表示面構成部の側面図及び平面図、(c)は(a)に示す表示面回動支持手段の拡大分解側面図である。図１７は図１３の携帯情報端末装置の表示部及び表示面回動支持手段の他の例を示す説明図であり、(a)は表示部における外枠部、表示面構成部、及び表示面回動支持手段の分解斜視図、(b)は(a)に示す表示面構成部の側面図及び平面図、(c)は(a)に示す表示面回動支持手段の拡大分解側面図である。
【００５３】
実施例３の携帯情報端末装置は、情報入力部４を有する把持部３と、表示部１と、光学的パワーを有するビームコンバイナ２と、外枠部開閉支持手段５’を有している。ここで、表示部１は、表示面１ａと、表示面１ａの周りを囲む外枠部１ｂとを有する。なお、図中１ａ’は表示面１ａを含む表示面構成部である。ここで、表示面１ａは、情報入力部４で入力した情報、又は外部から受信した情報を表示する。また、外枠部開閉支持手段５’は、表示部１の外枠部１ｂを把持部３に対して開閉可能に支持している。このような構成により、実施例１の携帯情報端末装置は、所謂折り畳みタイプの携帯電話機として構成されている。
【００５４】
外枠部開閉支持手段５’は、実施例１及び実施例２の表示部開閉支持手段５と同じ構造である。よって、説明は省略する。
本実施例においても、外枠部開閉支持手段５’によって、表示部１の外枠部１ｂを展開することができる。このとき、β＝を０°（表示面構成部１ａ’が外枠部１ｂに収納された状態の角度β）、及びβ＝第１の所定角度（表示面構成部１ａ’を外枠部１ｂから展開した状態の角度β）となるように、把持部３に対して外枠部１ｂを固定することができるようになっている。ここで、βは、第２の仮想線と第１の仮想線とのなす角である。また、第２の仮想線は、把持部３における観察者の瞳Ｅ側の面の一端と、対向する他端とを結ぶ直線である。第２の仮想線は、図１４において、Ｌ２で示されている。また、第１の仮想線は、表示部１の外枠部１ｂの一端と、対向する他端とを結ぶ直線である。第１の仮想線は、図１４において、第５の仮想線Ｌ５で示されている。本実施例の第５の仮想線Ｌ５は、第１実施例及び第２実施例における第１の仮想線Ｌ１に相当する。また、第２の所定角度は、１８０°＜β＜２７０°の範囲のうちの角度である。
【００５５】
また、実施例３の携帯情報端末装置は、ビームコンバイナ開閉支持手段６と表示面回動支持手段９を有している。
ビームコンバイナ開閉支持手段６は、図１５に示すように、円筒部６ａと、係止部６ｂと、円筒部６ｃと、係止爪６ｃ２と、図示省略したピン及び止め具を有している。ここで、円筒部６ａと係止部６ｂは、表示部１の外枠部１ｂの他端に一体形成されている。一方、円筒部６は、ビームコンバイナ２の一端に一体形成されている。また、係止爪６ｃ２は、円筒部６ｃに一体形成されている。
円筒部６ａ，６ｃには、中央に貫通孔６ａ１，６ｃ１がそれぞれ形成されている。係止部６ｂ及び係止爪６ｃ２にはそれぞれ磁石が設けられている。
【００５６】
そして、ビームコンバイナ開閉支持手段６は、ピンと止め具（いずれも図示省略）を有している。このピンと止め具を使って、ビームコンバイナ２を外枠部１ｂに接続している。すなわち、ピンを、円筒部６ａ，６ｃの貫通孔６ａ１，６ｃ１に通し、その先端を止め具で止めるようになっている。このような構成により、ビームコンバイナ開閉支持手段６は、ビームコンバイナ２を、表示部１の外枠部１ｂに対し開閉可能に支持している。
また、ビームコンバイナ開閉支持手段６では、ビームコンバイナ２を展開したときに、係止爪６ｃ２が係止部６ｂに当接するようになっている。なお且つ、互いの磁力で、その状態を保持することができるようになっている。このとき、α”が４５°＜α”＜９０°の範囲のうちの第４の所定角度となるように、ビームコンバイナ２を固定（保持）することができるようになっている。
なお、ビームコンバイナ開閉支持手段６は、ビームコンバイナ２を表示部１の外枠部１ｂに対して開閉可能に支持し、且つ、第４の所定角度で、ビームコンバイナ２を固定することができる構成であれば、上記構成に限定されるものではない。例えば、表示部開閉支持手段５’における構成と同様にしてもよい。すなわち、球状部材５ｄが係止溝５ｂ２，５ｂ３に嵌合し、且つ、バネ５ｃに付勢される構成にしてもよい。
【００５７】
表示面回動支持手段９は、図１６(a)に示すように、円筒部９ａと、嵌合溝部９ｂと、板バネ９ｃと押え板９ｄを有している。
ここで、円筒部９ａは、表示面構成部１ａ’の両側面の一端に一体形成されている。
一方、嵌合溝部９ｂは、外枠部１ｂの対向する内側面の他端に一体形成されている。嵌合溝部７ｂの形状は、表示面構成部１ａ’を嵌入可能な形状となっている。
また、円筒部９ａには、図１６(c)に示すように、係止溝９ａ１，９ａ２が形成されている。係止溝９ａ１，９ａ２は、互いに、円の中心から所定角度δ離れた位置に設けられている。嵌合溝部９ｂには、図１６(c)に示すように、係止爪９ｂ１が形成されている。
その他、外枠部１、板バネ９ｃ、及び押え板９ｄには、それぞれネジ穴９ｂ２，９ｂ３、９ｃ１、９ｄ１，９ｄ２が設けられている。
【００５８】
そして、表示面回動支持手段９の構成を、組み立て手順に沿って説明する。まず、、嵌合溝部９ｂに、円筒部９ａを嵌入させる。続いて、表示面構成部１ａ’側から、板バネ７ｃをあてがう。このとき、板バネ７ｃは、円筒部９ａを嵌入方向に付勢する向きにあてがう。そして、板バネ９ｃを挟みながら、押え板９ｄを外枠部１ｂに合わせる。最後に、それぞれのネジ穴に、螺子（図示省略）を通して螺着する。このような構成により、表示面１ａを、外枠部１ｂに対して回動可能に支持することができる。なお且つ、表示面１ａを所定角度δで回動させたときに、円筒部９ａの係止溝９ａ１又は９ａ２が嵌合溝部９ｂの係止爪に係合するようになっている。よって、外枠部１に対して傾いた状態で、表示面１ａを保持することができるようになっている。尚、図１６の例では、係止溝９ａ２が係止爪９ｂ１に係合したときに、第５の仮想線Ｌ５と、第６の仮想線Ｌ６とが平行（表示面構成部１ａ’が外枠部１ｂに収納された状態）となり、係止溝９ａ１が係止爪９ｂ１に係合したときに、第５の仮想線Ｌ５と第６の仮想線Ｌ６とのなす角がδ（表示面構成部１ａ’が外枠部１ｂに対し展開した状態）となるように構成されている。なお、第６の仮想線は、表示面構成部１ａ’における表示面１ａの一端と、該一端と対向する他端とを結ぶ直線である。図１４では、Ｌ６で示されている。
【００５９】
なお、表示面回動支持手段９は、図１６の構成に限定されるものではない。すなわち、表示面１ａを外枠部１ｂに対して回動可能に支持し、且つ、表示面１ａを所定量回動させたときの状態を保持することができればよい。例えば、図１７に示すように、円筒部９’ａを表示面構成部１ａ’の両側面の中央に一体形成する。そして、嵌合溝部９’ｂを外枠部１ｂの対向する内側面の中央に、嵌合溝部７ｂを形成する。そして、この嵌合溝部７ｂに、表示面構成部１ａ’を嵌入可能にする構成であってもよい。
【００６０】
実施例３の携帯情報端末装置においても、１８０°＜β＜２７０°の範囲のうちの第１の所定角度となるように、表示部１の外枠部１ｂが把持部３に対して展開されている。そして、この状態において、ビームコンバイナ開閉支持手段６、及び表示面回動支持手段９を介して、４５°＜α”＜９０°の範囲のうちの第４の所定角度となり、０°＜α”’＜４５°の範囲のうち第５の所定角度となるように、各手段が位置決めされている。そして、このように展開された状態のビームコンバイナ２を介して、表示面１ａに表示された情報が観察者の瞳Ｅ方向に反射されるようになっている。
【００６１】
このように構成された実施例３の携帯情報端末装置によれば、虚像の結像位置が、観察者の瞳Ｅからほぼ等距離となる。そのため、観察者の観察方向に垂直な方向に対して、虚像の傾きが殆どなくなる。このため、虚像のディストーションが良好に補正される。また、観察者は、虚像の全ての位置に焦点を合わせることが容易となる。このため、実施例３の携帯情報端末装置によれば、観察者が十分に判読できる程度に、液晶パネルに表示された像を、傾きが少ない像として観察できる。また、実施例３の携帯情報端末装置によれば、液晶パネルに表示された像を、拡大観察し易くすることが可能な携帯情報端末装置が得られる。また、実施例３の携帯情報端末装置によれば、ビームコンバイナ２を表示部１の外枠部１ｂに直接、回動可能に取り付ける構成としている。そのため、表示部１にビームコンバイナ２との連結部材を設け、さらにその連結部材にビームコンバイナ２を回動可能に取り付けるような構成、すなわち、図６〜図１２に示した実施例１，２の構成に比べて、ビームコンバイナ２を安定して保持することができるとともに、ビームコンバイナ２と表示面１ａとのなす角α”’の角度調整がし易くなる。また、部材点数を最小限に抑えて、構成を簡素化することができる。
【００６２】
また、本実施形態の携帯情報端末装置も、１８０°＜β＜２７０°の範囲のうちの第１の所定角度となるように、外枠部１ｂ（表示部１）を保持枠に対して固定されるようにした。よって、本実施形態の携帯情報端末装置は、観察者の瞳Ｅの位置が、携帯情報端末の本体（表示部及び把持部）に近づき過ぎるのを防ぐことができる。そして、表示面１ビームコンバイナ２から離し他状態で、両者をより平行な状態に近付けることができる。
【実施例４】
【００６３】
図１８は本発明の実施例４にかかる携帯情報端末装置を示す斜視図であり、(a)は表示部を閉じた状態、(b)は表示部を展開した状態、(c)は(b)の状態からビームコンバイナを展開した状態を示している。図１９は図１８の携帯情報端末装置を側方からみた概略図であり、(a)は表示部を閉じた状態、(b)は表示部を展開した状態、(c)は(b)に示す状態からビームコンバイナを展開した状態を示している。
実施例４の携帯情報端末装置は、情報入力部４を有する把持部３と、表示面１ａを有する表示部１と、光学的パワーを有するビームコンバイナ２と、表示部開閉支持手段５と、ビームコンバイナ開閉支持手段６を有している。
表示部開閉支持手段５の構成は、図１０に示す携帯情報端末装置の構成とほぼ同じである。また、ビームコンバイナ開閉支持手段６の構成は、図１５に示す携帯情報端末装置の構成とほぼ同じである。
そして、実施例４の携帯情報端末装置は、ビームコンバイナ開閉支持手段６が、表示部１の一端とビームコンバイナ２の一端が交わる位置の近傍に設けられている。また、開閉支持手段５が、表示部１を展開したときに、１８０°＜β＜２７０°の範囲のうちの第１の所定角度で、表示部１を把持部３に固定することができるように構成されている。そしてこの状態において、αが４５°＜α＜９０°の範囲のうちの第３の所定角度となるように、ビームコンバイナ２が展開されている。そして、この状態のビームコンバイナ２を介して、表示面１ａに表示された情報が観察者の瞳Ｅ方向に反射されるようになっている。
その他の構成は、図６〜図１０に示した携帯情報端末装置とほぼ同じである。
【００６４】
実施例４の携帯情報端末装置によれば、観察者の瞳の位置が携帯情報端末の本体（表示部及び把持部）に近づき過ぎるのを防ぎながら、観察者が十分に判読できる程度に、良好に拡大観察することができる。
【実施例５】
【００６５】
図２０は本発明の実施例５にかかる携帯情報端末装置を側方からみた概略図であり、(a)は表示部を閉じた状態、(b)は表示部を展開した状態、(c)は(b)の状態からビームコンバイナを展開した状態を示している。
実施例５の携帯情報端末装置は、表示面１ａが表側と裏側の両面に設けられている。ビームコンバイナ２は、ビームコンバイナ開閉支持手段６を介して、表示部１の操作部４とは反対側（即ち、裏側表示面１ａｒ側）において開閉可能に支持されている。また、ビームコンバイナ連結手段７は、ビームコンバイナ連結手段移動手段８を介して、表示部１の裏側表示面１ａｒから離れる方向に移動可能に支持されている。
また、表示部開閉支持手段５は、表示部１を展開したときに、１８０°＜β＜２７０°範囲のうちの第１の所定角度となるように、表示部１を把持部３に固定することができるように構成されている。なお、ここでのβは、把持部３における観察者の瞳側の面と表示部１の裏側表示面１ａｒとのなす角である。そして、この状態において、４５°＜α’＜９０°の範囲のうちの第２の所定角度となり、０°＜α＜４５°の範囲のうちの第３の所定角度となるように、各手段が位置決めされている。そして、そのように展開された状態のビームコンバイナ２を介して、裏側表示面１ａｒに表示された情報が観察者の瞳Ｅ方向に反射されるようになっている。
その他の構成及び作用効果は、図６〜図１０に示した実施例１の携帯情報端末装置とほぼ同じである。
【実施例６】
【００６６】
図２１は本発明の実施例６にかかる携帯情報端末装置を側方からみた概略図であり、(a)は表示部を閉じた状態、(b)は表示部を展開した状態、(c)は(b)の状態からビームコンバイナを展開した状態を示している。
実施例６の携帯情報端末装置は、表示面１ａが表側と裏側の両面に設けられている。ビームコンバイナ２は、ビームコンバイナ開閉支持手段６を介して表示部１の操作部４とは反対側（即ち、裏側表示面１ａｒ側）において開閉可能に支持されている。また、ビームコンバイナ連結手段７は、ビームコンバイナ連結手段移動手段８を介して表示部１の裏側表示面１ａｒから離れる方向に移動可能に支持されている。
また、表示部開閉支持手段５は、表示部１を展開したときに、１８０°＜β＜２７０°の範囲のうちの第１の所定角度となるように、表示部１を把持部３に固定することができるように構成されている。なお、ここでのβは、把持部３における観察者の瞳側の面と表示部１の裏側表示面１ａｒとのなす角である。そして、この状態において、４５°＜α＜９０°の範囲のうちの第１の所定角度となり、１．５＜ｚ／ｐ＜５．０を満足するように、各手段が位置決めされている。そして、そのように展開された状態のビームコンバイナ２を介して、表示面１ａに表示された情報が観察者の瞳Ｅ方向に反射されるようになっている。なお、第３の仮想線Ｌ３は、表示部１の裏側表示面１ａｒにおける一端と該一端と対向する他端を結んだ直線である。また、ｐは、裏側表示面１ａｒにおける辺の長さ、ｚは、裏側表示面１ａｒの中心とビームコンバイナ２の中心との近軸距離である。
その他の構成及び作用効果は、図１１、及び図１２に示した実施例２の携帯情報端末装置とほぼ同じである。
【実施例７】
【００６７】
図２２は本発明の実施例７にかかる携帯情報端末装置を側方からみた概略図であり、(a)は表示部を閉じた状態、(b)は表示部を展開した状態、(c)は(b)の状態からビームコンバイナと表示面構成部を展開した状態を示している。
実施例７の携帯情報端末装置は、表示面１ａが表側と裏側の両面に設けられている。また、ビームコンバイナ２は、表示部１の外枠部１ｂにおける操作部４とは反対側の一端に設けられている。
また、外枠部開閉支持手段５’は、１８０°＜β＜２７０°の範囲のうちの第１の所定角度となるように、前記表示部１（表示部１の外枠部１ｂ）を把持部３に固定することができるように構成されている。そして、この状態において、４５°＜α”＜９０°の範囲のうちの第４の所定角度、０°＜α”’＜４５°の範囲のうち第５の所定角度となるように、各手段が位置決めされている。そして、このように展開されたビームコンバイナ２を介して、表示面１ａに表示された情報が観察者の瞳Ｅ方向に反射されるようになっている。
なお、実施例７において、第３の仮想線Ｌ３は、仮想面内において、ビームコンバイナ２を展開したときに、表示部１の裏側表示面１ａｒに向かう方向にビームコンバイナ２の有効光路面の両端２ａ，２ｂを結ぶ直線である。第５の仮想線Ｌ５は、仮想麺内において表示部１の外枠部１ｂの一端と該表示部１の外枠部１ｂの一端と対向する他端とを結ぶ直線である。第６の仮想線Ｌ６は、仮想面と平行な面内において、表示部１の裏側表示面１ａｒの一端と該表示部１の裏側表示面１ｂの一端と対向する他端とを結ぶ直線である。
その他の構成及び作用効果は、図１４〜図１７に示した実施例３の携帯情報端末装置とほぼ同じである。
【実施例８】
【００６８】
図２３は本発明の実施例８にかかる携帯情報端末装置を側方からみた概略図であり、(a)は表示部を閉じた状態、(b)は表示部を展開した状態、(c)は(b)の状態からビームコンバイナを展開した状態を示している。
実施例８の携帯情報端末装置は、表示面１ａが表側と裏側の両面に設けられている。また、ビームコンバイナ２は、表示部１における操作部４とは反対側の一端に設けられている。
また、表示部開閉支持手段５は、１８０°＜β＜２７０°範囲のうちの第１の所定角度となるように、表示部１を把持部３に固定することができるように構成されている。そして、この状態において、４５°＜α＜９０°の範囲のうちの第３の所定角度に展開された状態のビームコンバイナ２を介して、裏側表示面１ａｒに表示された情報が観察者の瞳Ｅ方向に反射されるようになっている。
その他の構成及び作用効果は、図１８及び図１９に示した実施例４の携帯情報端末装置とほぼ同じである。
【図面の簡単な説明】
【００６９】
【図１】本発明の第１の実施形態の携帯情報端末装置を示す図である。
【図２】本発明の第２の実施形態の携帯情報端末装置を示す図である。
【図３】携帯情報端末装置の表示部とビームコンバイナとの位置と観察像との関係を示す説明図であり、(a)は他の比較例にかかる本件出願人の提案による携帯情報端末装置における説明図、(b)は本発明の第２の実施形態にかかる携帯情報端末装置における説明図をそれぞれ示している。
【図４】シャインプルーフの条件を示す説明図である。
【図５】携帯情報端末装置の表示部とビームコンバイナとの位置と観察像との関係を示す説明図であり、(a)は比較例にかかる本件出願人の提案による携帯情報端末装置における説明図、(b)は比較例にかかる本件出願人の提案による携帯情報端末装置における説明図、(c)本発明の第３の実施形態にかかる携帯情報端末装置における説明図をそれぞれ示している。
【図６】本発明の実施例１にかかる携帯情報端末装置の概略構成を示す斜視図であり、(a)は表示部を閉じた状態、(b)は表示部を展開した状態、(c)は(b)の状態からビームコンバイナを展開した状態を示している。
【図７】図６の携帯情報端末装置を側方からみた概略図であり、(a)は表示部を閉じた状態、(b)は表示部を展開した状態、(c)は(b)の状態からビームコンバイナを展開した状態を示している。
【図８】図６(c)に示す状態の携帯情報端末装置における表示部及びビームコンバイナと観察者の瞳位置との関係を示す説明図である。
【図９】図６の携帯情報端末装置におけるビームコンバイナ連結手段、ビームコンバイナ開閉支持手段、及びビームコンバイナ連結手段移動手段の一例を示す分解図であり、(a)はビームコンバイナ開閉支持手段、及びビームコンバイナ連結手段を示す分解斜視図、(b)はビームコンバイナ連結手段移動手段を示す分解斜視図である。
【図１０】図６の携帯情報端末装置の分解図であり、(a)は表示部と把持部の分解斜視図、(b)は表示部開閉支持手段の一例を示す分解斜視図である。
【図１１】本発明の実施例２にかかる携帯情報端末装置を側方からみた概略図であり、(a)は表示部を閉じた状態、(b)は表示部を展開した状態、(c)は(b)の状態からビームコンバイナを展開した状態を示している。
【図１２】図１１(c)に示す状態の携帯情報端末装置における表示部及びビームコンバイナと観察者の瞳位置との関係を示す説明図である。
【図１３】本発明の実施例３にかかる携帯情報端末装置の概略構成を示す斜視図であり、(a)は表示部を閉じた状態、(b)は表示部を展開した状態、(c)は(b)の状態からビームコンバイナと表示面構成部を展開した状態を示している。
【図１４】図１３の携帯情報端末装置を側方からみた概略図であり、(a)は表示部を閉じた状態、(b)は表示部を展開した状態、(c)は(b)の状態からビームコンバイナと表示面構成部を展開した状態を示している。
【図１５】図１３の携帯情報端末装置における表示部、把持部、及びビームコンバイナの分解斜視図である。
【図１６】図１３の携帯情報端末装置の表示部及び表示面回動支持手段の一例を示す説明図であり、(a)は表示部における外枠部、表示面構成部、及び表示面回動支持手段の分解斜視図、(b)は(a)に示す表示面構成部の側面図及び平面図、(c)は(a)に示す表示面回動支持手段の拡大分解側面図である。
【図１７】図１３の携帯情報端末装置の表示部及び表示面回動支持手段の他の例を示す説明図であり、(a)は表示部における外枠部、表示面構成部、及び表示面回動支持手段の分解斜視図、(b)は(a)に示す表示面構成部の側面図及び平面図、(c)は(a)に示す表示面回動支持手段の拡大分解側面図である。
【図１８】本発明の実施例４にかかる携帯情報端末装置を示す斜視図であり、(a)は表示部を閉じた状態、(b)は表示部を展開した状態、(c)は(b)の状態からビームコンバイナを展開した状態を示している。
【図１９】図１８の携帯情報端末装置を側方からみた概略図であり、(a)は表示部を閉じた状態、(b)は表示部を展開した状態、(c)は(b)に示す状態からビームコンバイナを展開した状態を示している。
【図２０】本発明の実施例５にかかる携帯情報端末装置を側方からみた概略図であり、(a)は表示部を閉じた状態、(b)は表示部を展開した状態、(c)は(b)の状態からビームコンバイナを展開した状態を示している。
【図２１】本発明の実施例６にかかる携帯情報端末装置を側方からみた概略図であり、(a)は表示部を閉じた状態、(b)は表示部を展開した状態、(c)は(b)の状態からビームコンバイナを展開した状態を示している。
【図２２】本発明の実施例７にかかる携帯情報端末装置を側方からみた概略図であり、(a)は表示部を閉じた状態、(b)は表示部を展開した状態、(c)は(b)の状態からビームコンバイナと表示面構成部を展開した状態を示している。
【図２３】本発明の実施例８にかかる携帯情報端末装置を側方からみた概略図であり、(a)は表示部を閉じた状態、(b)は表示部を展開した状態、(c)は(b)の状態からビームコンバイナを展開した状態を示している。
【符号の説明】
【００７０】
１          表示部
１ａ        表示面
１ａ’      表示面構成部
１ａｆ      表側表示面
１ａｆ      裏側表示面
１ｂ        外枠部
１ｓ        表示部のビームコンバイナ側の面
２          ビームコンバイナ
２’        ビームコンバイナの内側面
２ａ，２ｂ  有効光路面の端部
３          把持部
３ｓ        把持部における観察者の瞳側の面
４          情報入力部
５          表示部開閉支持手段
５’        外枠部開閉支持手段
５ａ，５ｂ  円筒部
５ａ１，５ｂ１          貫通孔
５ａ２      凹部
５ｂ２，５ｂ３          係止溝
５ｃ        バネ
５ｄ        球状部材
５ｅ        ピン
５ｆ        止め具
６          ビームコンバイナ開閉支持手段
６ａ        回転軸部
６ｂ        軸孔
６ｃ        凸部
６ｄ１，６ｄ２          凹部
６ｅ        係止部
６ｆ        板状部材７ｂの内側面
７          ビームコンバイナ連結手段
７ａ        アーム状部材
７ｂ        板状部材
８          ビームコンバイナ連結手段移動手段
８ａ        回転軸部
８ｂ        円筒部
８ｃ        係止突起
８ｄ        支持部
８ｅ        軸孔
８ｆ        回転溝部
８ｇ１，８ｇ２      係止溝
８ｈ        回転軸止め具
９          表示面回動支持手段
９ａ，９’ａ        円筒部
９ａ１，９ａ２      係止溝
９ｂ，９’ｂ        嵌合溝部
９ｂ１      係止爪
９ｂ２，９ｂ３，９ｃ１，９ｄ１，９ｄ２          ネジ穴
９ｃ        板バネ
９ｄ        押え板
【図１】
2006119503.tif 000003
【図２】
2006119503.tif 000004
【図３】
2006119503.tif 000005
【図４】
2006119503.tif 000006
【図５】
2006119503.tif 000007
【図６】
2006119503.tif 000008
【図７】
2006119503.tif 000009
【図８】
2006119503.tif 000010
【図９】
2006119503.tif 000011
【図１０】
2006119503.tif 000012
【図１１】
2006119503.tif 000013
【図１２】
2006119503.tif 000014
【図１３】
2006119503.tif 000015
【図１４】
2006119503.tif 000016
【図１５】
2006119503.tif 000017
【図１６】
2006119503.tif 000018
【図１７】
2006119503.tif 000019
【図１８】
2006119503.tif 000020
【図１９】
2006119503.tif 000021
【図２０】
2006119503.tif 000022
【図２１】
2006119503.tif 000023
【図２２】
2006119503.tif 000024
【図２３】
2006119503.tif 000025